(57)【要約】【課題】発信源で発せられた信号を受信する受信装置において、複数の信号を互いの干渉なく並行して受信処理すること。【解決手段】複数の入力信号それぞれをおのおの所定利得で増幅する複数の増幅器と、この複数の増幅器の上記所定利得を協調的に切り替え制御する利得制御部とを具備する。協調的に制御することにより独立してある増幅器のみの利得が切り替えられることがなくなり、増幅器の前段における複数の信号のレベル大小関係は、増幅器の後段においても維持される。よって、複数の増幅器それぞれによる受信処理同士のアイソレーション能力は、増幅器の前段におけるそれがあれば十分である。【選択図】図１
2006222601.tif 000002
【特許請求の範囲】
【請求項１】
複数の入力信号それぞれをおのおの所定利得で増幅する複数の増幅器と、
前記複数の増幅器の前記所定利得を協調的に切り替え制御する利得制御部と
を具備することを特徴とする受信装置。
【請求項２】
前記複数の増幅器の出力側レベルを集約して評価する評価部をさらに具備し、
前記利得制御部が、前記評価部による評価結果に基づいて前記複数の増幅器の前記所定利得を協調的に切り替え制御すること
を特徴とする請求項１記載の受信装置。
【請求項３】
前記複数の増幅器の前記所低利得がすべて高利得の状態であり、前記複数の増幅器の前記出力側レベルのひとつが過大となり、前記評価部が前記複数の増幅器を低利得で動作させるべきであると評価した場合、前記利得制御部が、前記複数の増幅器の前記所低利得をすべて低利得状態に制御することを特徴とする請求項２記載の受信装置。
【請求項４】
前記複数の増幅器の前記所低利得がすべて低利得の状態であり、前記複数の増幅器の前記出力側レベルのひとつが過小となり、前記評価部が前記複数の増幅器を高利得で動作させるべきであると評価した場合、前記利得制御部が、前記複数の増幅器の前記所定利得をすべて高利得状態に制御することを特徴とする請求項２記載の受信装置。
【請求項５】
前記評価部が、前記集約された出力側レベルのうち最大または最小のもののみを対象に基準レベルと比較して前記評価を行うことを特徴とする請求項２記載の受信装置。
【請求項６】
前記評価部が、前記集約された出力側レベルのうち所定の範囲内にある最大または最小のもののみを対象に基準レベルと比較して前記評価を行うことを特徴とする請求項２記載の受信装置。
【請求項７】
前記複数の増幅器の後段それぞれに設けられ、前記増幅された信号をおのおの低周波数信号に変換する複数のミキサと、
前記ミキサの後段それぞれに設けられ、前記低周波数信号をおのおの第２の所定利得で増幅する複数の第２の増幅器と、
前記評価部による評価結果に基づいて前記複数の第２の増幅器の前記第２の所定利得を切り替え制御する第２の利得制御部とをさらに具備し、
前記第２の利得制御部が、前記集約された出力側レベルのうち前記所定の範囲内からはずれたものに対応する前記第２の増幅器に対する前記第２の所定利得を、前記集約された出力側レベルのうち前記所定の範囲内にあるものに対応する前記第２の増幅器に対する前記第２の所定利得と異ならせること
を特徴とする請求項６記載の受信装置。
【請求項８】
前記複数の増幅器の後段それぞれに設けられ、前記増幅された信号をおのおの低周波数信号に変換し、かつ、当該低周波数信号をおのおの第２の所定利得で増幅する複数のミキサと、
前記評価部による評価結果に基づいて前記複数のミキサの前記第２の所定利得を切り替え制御する第２の利得制御部とをさらに具備し、
前記第２の利得制御部が、前記集約された出力側レベルのうち前記所定の範囲内からはずれたものに対応する前記ミキサに対する前記第２の所定利得を、前記集約された出力側レベルのうち前記所定の範囲内にあるものに対応する前記ミキサに対する前記第２の所定利得と異ならせること
を特徴とする請求項６記載の受信装置。
【請求項９】
前記利得制御部が、前記評価部によって集約された出力側レベルのうち前記所定の範囲内から外れたものに対応する前記増幅器に対しては、前記切り替え制御するときの協調の対象から外すことを特徴とする請求項６記載の受信装置。
【請求項１０】
前記協調の対象から外された増幅器以外の増幅器が前記協調の結果として前記所定の利得が前記利得制御部によって高利得から低利得に切り替えられるとき、前記協調の対象から外された増幅器が前記利得制御部によって高利得のままにされることを特徴とする請求項９記載の受信装置。
【請求項１１】
前記協調の対象から外された増幅器以外の増幅器が前記協調の結果として前記所定の利得が前記利得制御部によって低利得から高利得に切り替えられるとき、前記協調の対象から外された増幅器が前記利得制御部によって低利得のままにされることを特徴とする請求項９記載の受信装置。
【請求項１２】
前記評価部が、前記集約された出力側レベルを平均し該平均のレベルを対象に基準レベルと比較して前記評価を行うことを特徴とする請求項２記載の受信装置。
【請求項１３】
前記評価部が、前記集約された出力側レベルのうち最大のものと最小のものとを平均し該平均レベルを対象に基準レベルと比較して前記評価を行うことを特徴とする請求項２記載の受信装置。
【請求項１４】
前記評価部が、前記基準レベルとして第１の基準レベルと該第１のレベルより小さな第２の基準レベルとを有し、前記第１の基準レベルを比較対象がこれを下方から上方に横切るときの基準レベルとし、前記第２の基準レベルを比較対象がこれを上方から下方に横切るときの基準レベルとすることを特徴とする請求項５ないし１３記載のいずれか１項記載の受信装置。
【請求項１５】
前記評価部が、前記第１の基準レベルと前記第２の基準レベルとを組み合わせた基準レベルの組を複数有していることを特徴とする請求項１４記載の受信装置。
【発明の詳細な説明】
【技術分野】
【０００１】
本発明は、発信源で発せられた信号を受信する受信装置に係り、特に、並行して異なる複数の信号を受信処理する受信装置に関する。
【背景技術】
【０００２】
単一の受信部のみ有する無線通信システムにおいては、通常、アンテナから入力した信号の電力の大きさに応じて、低雑音増幅器（ＬＮＡ：low noise amplifier）の利得を切り替えている（例えば、下記非特許文献１参照）。このようにＬＮＡの利得を切り替えることにより、出力される信号電力の範囲を小さくすることができ、後段に要求されるダイナミックレンジの幅を緩和することができる。
【０００３】
実際のＬＮＡの利得切り替えは、非特許文献１にあるように高利得と低利得の２値の利得を切り替える場合が多く、受信電力が増大して高利得から低利得に切り替えるポイントと受信電力が減少して低利得から高利得に切り替えるポイントを異なる値に設定し、ヒステリシスを持たせる。このようなヒステリシスを持たせることによって、利得切り替えポイント付近の電力を持つ信号が入力した際に、頻繁に利得切り替えが発生することを抑圧している。
【０００４】
ＭＩＭＯ（multi-input multi-output）やスマートアンテナなど複数のアンテナを有する方式を採用した無線通信システムにおいては、複数のアンテナに対応した受信部を持つ。複数の受信部の間で、信号のアイソレーションが十分に確保されており、互いの入力信号が受信機内部で干渉しない状況であれば、受信部の利得切り替えに関しても、従来の単一の受信部のみを持つ受信機と同様に、各受信部の入力信号電力に応じて個別の利得切り替えを行うことにより良好な受信特性が得られる。
【０００５】
しかしながら、複数の受信部回路を１チップに集積したり近接したモジュールとして実装した場合、複数の受信部の間での信号のアイソレーションを十分に確保することは、一般に困難になる。すなわち、他の受信部から干渉が生じて十分な受信特性が得られない可能性が生じる。
【非特許文献１】シー・タカハシ他（C. Takahashi et al.）、「１．９ＧＨｚ・シリコン・ダイレクト・コンバージョン・レシーバ・ＩＣ・フォー・ＱＰＳＫ・モジュレーション・システム」（“A 1.9 GHz Si direct conversion receiver IC for QPSK modulation system”）、テク・ディグ・オブ・インターナショナル・ソリッドステート・サーキッツ・コンファレンス（Tech. Dig. of International Solid-State Circuits Conference (ISSCC 1995)）、（米国）、１９９５年、ｐｐ．１３８−１３９
【発明の開示】
【発明が解決しようとする課題】
【０００６】
本発明は、上記の事情を考慮してなされたもので、発信源で発せられた信号を受信する受信装置において、複数の信号を互いの干渉なく並行して受信処理することが可能な受信装置を提供することを目的とする。
【課題を解決するための手段】
【０００７】
上記の課題を解決するため、本発明に係る受信装置は、複数の入力信号それぞれをおのおの所定利得で増幅する複数の増幅器と、前記複数の増幅器の前記所定利得を協調的に切り替え制御する利得制御部とを具備することを特徴とする。
【０００８】
すなわち、複数の入力信号に対応する複数の増幅器の利得を、利得制御部により協調的に切り替え制御する。協調的に制御することにより独立してある増幅器のみの利得が切り替えられることがなくなり、増幅器の前段における複数の信号のレベル大小関係は、増幅器の後段においても維持される。よって、複数の増幅器それぞれによる受信処理同士のアイソレーション能力は、増幅器の前段におけるそれがあれば十分であり、増幅器が切り替えられたときの利得の差を勘案する必要がなくなる。したがって、複数の信号を互いの干渉なく並行して受信処理することが可能になる。
【発明の効果】
【０００９】
本発明によれば、発信源で発せられた信号を受信する受信装置において、複数の信号を互いの干渉なく並行して受信処理することが可能になる。
【発明を実施するための最良の形態】
【００１０】
本発明の実施態様として、前記複数の増幅器の出力側レベルを集約して評価する評価部をさらに具備し、前記利得制御部は、前記評価部による評価結果に基づいて前記複数の増幅器の前記所定利得を協調的に切り替え制御する、とすることができる。利得制御部が行う増幅器利得の協調的な切り替え制御のため、評価部を設けた態様である。評価部は、複数の増幅器の出力側レベルを集約しこの集約された情報を用い出力側レベルの評価（例えば大き過ぎる、適切、小さ過ぎる、というような評価）を行う。
【００１１】
ここで、一例として、前記評価部は、前記集約された出力側レベルのうち最大または最小のもののみを対象に基準レベルと比較して前記評価を行う、とすることができる。
【００１２】
また、別の例として、前記評価部は、前記集約された出力側レベルのうち所定の範囲内にある最大または最小のもののみを対象に基準レベルと比較して前記評価を行う、とすることもできる。ここで、前記複数の増幅器の後段それぞれに設けられ、前記増幅された信号をおのおの低周波数信号に変換する複数のミキサと、前記ミキサの後段それぞれに設けられ、前記低周波数信号をおのおの第２の所定利得で増幅する複数の第２の増幅器と、前記評価部による評価結果に基づいて前記複数の第２の増幅器の前記第２の所定利得を切り替え制御する第２の利得制御部とをさらに具備するような場合は、前記第２の利得制御部が、前記集約された出力側レベルのうち前記所定の範囲内からはずれたものに対応する前記第２の増幅器に対する前記第２の所定利得を、前記集約された出力側レベルのうち前記所定の範囲内にあるものに対応する前記第２の増幅器に対する前記第２の所定利得と異ならせる、としてもよい。これは、例えば所定の範囲内にない大きな信号に対しても前段の増幅器で高利得が適用されてしまう場合に適する。
【００１３】
また、前記利得制御部は、前記評価部によって集約された出力側レベルのうち前記所定の範囲内から外れたものに対応する前記増幅器に対しては、前記切り替え制御するときの協調の対象から外す、としてもよい。
【００１４】
また、さらに別の例として、前記評価部は、前記集約された出力側レベルを平均し該平均レベルを対象に基準レベルと比較して前記評価を行う、とすることもできる。
【００１５】
また、さらに別の例として、前記評価部は、前記集約された出力側レベルのうち最大のものと最小のものとを平均し該平均のレベルを対象に基準レベルと比較して前記評価を行う、とすることもできる。
【００１６】
また、基準レベルについては、前記評価部が、前記基準レベルとして第１の基準レベルと該第１のレベルより小さな第２の基準レベルとを有し、前記第１の基準レベルを比較対象がこれを下方から上方に横切るときの基準レベルとし、前記第２の基準レベルを比較対象がこれを上方から下方に横切るときの基準レベルとする、としてもよい。利得の切り替え特性にヒステリシスを持たせる場合である。
【００１７】
ここで、前記評価部は、前記第１の基準レベルと前記第２の基準レベルとを組み合わせた基準レベルの組を複数有している、としてもよい。切り替え制御を多段階に行う場合の構成である。
【００１８】
以上を踏まえ、以下では本発明の実施形態を図面を参照しながら説明する。図１は、本発明の一実施形態に係る受信装置の概略構成を示すブロック図である。図１に示すように、この受信装置は、複数の受信処理部１０ａ、１０ｂ、…、１０Ｎを有しこれらが複数の入力に対して並行して受信処理を行う。複数の受信処理部１０ａ、１０ｂ、…、１０Ｎは、例えば、１チップのＩＣ回路として集積して構成されている形態や、別個のモジュールとして近接して実装されている形態が考えられる。
【００１９】
各受信処理部１０ａ（１０ｂ、…、１０Ｎ）は、アンテナ１ａ（１ｂ、…、１Ｎ）、バンドバスフィルタ２ａ（２ｂ、…、２Ｎ）、低雑音増幅器３ａ（３ｂ、…、３Ｎ）、ミキサ４ａ（４ｂ、…、４Ｎ）を有し、各低雑音増幅器３ａ（３ｂ、…、３Ｎ）は利得制御ブロック１１により協調的に制御される。利得制御ブロック１１は、利得制御部１１ａと評価部１１ｂとからなる。
【００２０】
アンテナ１ａ（１ｂ、…、１Ｎ）は、発信源において空中に放射された信号電波を検知し、検知された信号をバンドパスフィルタ２ａ（２ｂ、…、２Ｎ）に導くものである。バンドパスフィルタ２ａ（２ｂ、…、２Ｎ）は、所定の周波数帯の信号のみを選択して通過させるものである。
【００２１】
低雑音増幅器３ａ（３ｂ、…、３Ｎ）は、バンドパスフィルタ２ａ（２ｂ、…、２Ｎ）を通過した各周波数帯の信号を低雑音で増幅するものである。ここで低雑音増幅器３ａ（３ｂ、…、３Ｎ）は、利得制御部１１ａにより制御されることにより高利得（Ｈ）の状態のときと低利得（Ｌ）の状態のときとがある。ミキサ４ａ（４ｂ、…、４Ｎ）は、低雑音増幅器３ａ（３ｂ、…、３Ｎ）の出力信号を所定のローカル出力（不図示）とミキシングし低周波数の信号に変換するものである。ミキサ４ａ（４ｂ、…、４Ｎ）以降にも受信処理を行う構成が縦続するが周知技術を利用可能でありかつ本実施形態の特徴と直接関係しないので説明を省略する。
【００２２】
利得制御部ブロック１１は、各受信処理部１０ａ（１０ｂ、…、１０Ｎ）の低雑音増幅器３ａ（３ｂ、…、３Ｎ）の出力側レベルを集約し、集約されたレベルを評価し、この評価結果に基づき各低雑音増幅器３ａ（３ｂ、…、３Ｎ）の利得（高利得／低利得）を協調的に切り替え制御するものである。出力側レベルの集約および評価は評価部１１ｂが、切り替え制御は利得制御部１１ａがそれぞれ行う。
【００２３】
図２は、図１に示す受信装置における増幅器協調制御の効果を説明するための図である。図２（ａ）は、低雑音増幅器３ａと同３ｂとが、仮に協調制御されずに、前者が高利得Ｇｈに後者が低利得Ｇｌにそれぞれ設定されているとした場合を示している。低雑音増幅器３ａ、３ｂの出力での信号アイソレーションをＢｏｕｔとすると、低雑音増幅器３ａ、３ｂから出力される信号Ｐｏｕｔ１、Ｐｏｕｔ２は、それぞれ、
Ｐｏｕｔ１＝Ｇｈ・Ｐｉｎ１＋Ｇｌ・Ｐｉｎ２／Ｂｏｕｔ  …（１）
Ｐｏｕｔ２＝Ｇｌ・Ｐｉｎ２＋Ｇｈ・Ｐｉｎ１／Ｂｏｕｔ  …（２）
（ただし、Ｐｉｎ１は低雑音増幅器３ａへの入力レベル、Ｐｉｎ２は低雑音増幅器３ｂへの入力レベルである。）
となる。
【００２４】
ここで、式（２）において第１項≦第２項のとき、本来受信したかったＰｉｎ２に対しＰｉｎ１の干渉（信号リークパス２１）が大きくなり受信特性が劣化する。簡単のために、具体的な数値を用いてこれを示す。例えば、
Ｐｉｎ１＝−５５ｄＢｍ  …（３）
Ｐｉｎ２＝−４５ｄＢｍ  …（４）
Ｇｈ＝１５ｄＢ  …（５）
Ｇｌ＝−１５ｄＢ  …（６）
Ｂｏｕｔ＝２０ｄＢ  …（７）
とすると、式（２）の第１項および第２項は
Ｇｌ・Ｐｉｎ２＝−６０ｄＢｍ
Ｇｈ・Ｐｉｎ１／Ｂｏｕｔ＝−６０ｄＢｍ
となる。よって、低雑音増幅器３ｂの出力においては、所望の信号であるＰｉｎ２に関する信号レベルと干渉信号となるＰｉｎ１に関する信号レベルが同じになっており、受信特性が劣化する。
【００２５】
図２（ｂ）は、低雑音増幅器３ａと同３ｂとが協調制御され、ともに例えば低利得Ｇｌに設定されている場合を示している。この場合、同様に信号リークパス２１を考慮した干渉を評価すると以下のようになる。すなわち、式（２）の代わりに次式：Ｐｏｕｔ２＝Ｇｌ・Ｐｉｎ２＋Ｇｌ・Ｐｉｎ１／Ｂｏｕｔにより、その第１項および第２項は、
Ｇｌ・Ｐｉｎ２＝−６０ｄＢｍ
Ｇｌ・Ｐｉｎ１／Ｂｏｕｔ＝−９０ｄＢｍ
となる。よって、低雑音増幅器３ｂの出力においては、所望の信号であるＰｉｎ２に関する信号レベルは干渉信号となるＰｉｎ１に関する信号レベルに対して３０ｄＢｍレベルが高く干渉は大きく軽減される。
【００２６】
ちなみに、式（１）に代わる次式：Ｐｏｕｔ１＝Ｇｌ・Ｐｉｎ１＋Ｇｌ・Ｐｉｎ２／Ｂｏｕｔにより、信号リークパス２１とは逆方向のリークによる干渉を評価すると、
Ｇｌ・Ｐｉｎ１＝−７０ｄＢｍ
Ｇｌ・Ｐｉｎ２／Ｂｏｕｔ＝−８０ｄＢｍ
となり、所望の信号であるＰｉｎ１に関する信号レベルは干渉信号となるＰｉｎ２に関する信号レベルに対して１０ｄＢｍレベルが高く問題が生じる干渉のレベルではない。
【００２７】
以上では、低雑音増幅器３ａ、３ｂが協調制御で低利得とされた場合を説明したが、協調制御で高利得とされた場合も受信処理間の干渉という点では同様になり、問題が生じない。
【００２８】
以上説明のように、本実施形態によれば、各低雑音増幅器３ａ、３ｂ、…、３Ｎを協調制御することにより、独立してある増幅器のみの利得が切り替えられることがなくなり、低雑音増幅器３ａ（３ｂ、…、３Ｎ）の前段における複数の信号のレベル大小関係は、増幅器の後段においても維持される。よって、複数の低雑音増幅器３ａ、３ｂ、…、３Ｎそれぞれにおける受信処理同士のアイソレーション能力は、低雑音増幅器３ａ、３ｂ、…、３Ｎの前段におけるそれがあれば足り、各低雑音増幅器３ａ、３ｂ、…、３Ｎが切り替えられたときの利得差を勘案する必要がなくなる。したがって、複数の信号を互いの干渉なく並行して受信処理することが可能になる。
【００２９】
次に、図１に示した実施形態の評価部１１ｂにおける機能具体例を以下で説明する。図３は、図１に示した実施形態における増幅器協調制御の一例を示す説明図である。簡単のため、低雑音増幅器３ａ、３ｂ、…、３Ｎすべてが高利得にある状態から、低利得状態に協調的に切り替えられる場合を説明する。図３の左側がすべて高利得にある状態の表示である。横軸のＰ１、Ｐ２、…、ＰＮは、評価部１１ｂにより集約された各受信処理におけるレベル名を示しており、縦軸はそのレベルＰを示す。図の見方は、別の例として説明する図４以下でも同様である。
【００３０】
この具体例では、図３左側に示すように各Ｐ１、Ｐ２、…、ＰＮが集約されたとき、その最大のもの（＝Ｐ２）を基準レベルＰｔｈとの比較の対象とし、そして図３右側に示すようにその最大のもの（＝Ｐ２）がＰｔｈを超えた（＊）と判断された場合に（以上は評価部１１ｂによる）、すべての低雑音増幅器３ａ、３ｂ、…、３Ｎを低利得に切り替える（これは利得制御部１１ａによる）。
【００３１】
これにより、既説明から明らかなように、例えば低雑音増幅器３ａ、３ｂ間では、
Ｐｏｕｔ１＝Ｇｈ・Ｐｉｎ１＋Ｇｈ・Ｐｉｎ２／Ｂｏｕｔ  …（８）
Ｐｏｕｔ２＝Ｇｈ・Ｐｉｎ２＋Ｇｈ・Ｐｉｎ１／Ｂｏｕｔ  …（９）
を呈する状態から、
Ｐｏｕｔ１＝Ｇｌ・Ｐｉｎ１＋Ｇｌ・Ｐｉｎ２／Ｂｏｕｔ  …（８）
Ｐｏｕｔ２＝Ｇｌ・Ｐｉｎ２＋Ｇｌ・Ｐｉｎ１／Ｂｏｕｔ  …（９）
を呈する状態に切り替えられる。これは、すでに説明したように、切り替え前後とも問題となる干渉を生じさせるものではない。その他の各低雑音増幅器３ａ、３ｂ、…、３Ｎ間も同様である。
【００３２】
なお、以上の説明では、図１に示したように、評価部１１ｂで集約される各レベルＰ１、Ｐ２、…、ＰＮを低雑音増幅器３ａ、３ｂ、…、３Ｎの出力側レベルとしているが、これに限られることはない。低雑音増幅器３ａ、３ｂ、…、３Ｎの入力におけるレベル（電力）を評価部１１ｂが集約して評価してもよい。これは以下に説明するの例でも同様である。
【００３３】
図４は、図１に示した実施形態における増幅器協調制御の別の例を示す説明図である。簡単のため、低雑音増幅器３ａ、３ｂ、…、３Ｎすべてが高利得にある状態から、低利得状態に協調的に切り替えられる場合を説明する。本具体例では、図４左側に示すように各Ｐ１、Ｐ２、…、ＰＮが集約されたとき、所定の範囲（ドットパターンで示した範囲）内にあるもの（＝Ｐ１、Ｐ２、ＰＮ、…）のうちで最大のもの（＝Ｐ２）を基準レベルＰｔｈとの比較の対象とする。そして図４右側に示すようにその最大のもの（＝Ｐ２）がＰｔｈを超えた（＊）と判断された場合に（以上は評価部１１ｂによる）、すべての低雑音増幅器３ａ、３ｂ、…、３Ｎを低利得に切り替える（これは利得制御部１１ａによる）。
【００３４】
すなわち、ｎ個の受信信号における、極端に大きい電力の信号および極端に小さい電力の信号を除外した、ある一定の範囲内にある入力信号に着目した切り替え制御である。このような制御を行うことにより、基準レベルＰｔｈとの比較の対象とはなり得ないＰ３を受信している受信部処理部は、正常に受信処理することが困難になる。しかし、受信装置全体としては良好な受信特性が得られる。
【００３５】
図５は、図１に示した実施形態における増幅器協調制御のさらに別の例を示す説明図であるが、図４に示した場合とは逆に、低雑音増幅器３ａ、３ｂ、…、３Ｎすべてが低利得にある状態から、高利得状態に協調的に切り替えられる場合を示す。本具体例では、図５左側に示すように各Ｐ１、Ｐ２、…、ＰＮが集約されたとき、所定の範囲（ドットパターンで示した範囲）内にあるもの（＝Ｐ１、Ｐ２、ＰＮ、…）のうちで最小のもの（＝Ｐ２）を基準レベルＰｔｈとの比較の対象とする。そして図５右側に示すようにその最大のもの（＝Ｐ２）がＰｔｈを割り込んだ（＊）と判断された場合に（以上は評価部１１ｂによる）、すべての低雑音増幅器３ａ、３ｂ、…、３Ｎを高利得に切り替える（これは利得制御部１１ａによる）。
【００３６】
この場合、基準レベルＰｔｈとの比較の対象とはなり得ないＰ３を受信している受信部処理部は、対応する低雑音増幅器の以降の処理において信号の飽和が生じるなど、正常に受信処理することが困難になる。しかし、受信装置全体としては良好な受信特性が得られる。
【００３７】
ここで、このような信号の飽和を解消するための受信装置の構成を図６を参照して説明する。図６は、本発明の別の実施形態に係る受信装置の概略構成を示すブロック図である。図６において、図１で説明した構成要素と同一のものには同一の符号を付しその説明を省略する。この受信装置は、複数の受信処理部１０ａ、１０ｂ、…、１０Ｎのそれぞれにおいて、ミキサ４ａ、４ｂ、…、４Ｎの後段にも利得制御部１１ｃで利得が制御され得る増幅器５ａ、５ｂ、…、５Ｎを有する。増幅器５ａ、５ｂ、…、５Ｎの各後段には、ＩＦ（中間周波数）またはＢＢ（ベースバンド）の信号処理部（ＩＦ段またはＢＢ段６ａ、６ｂ、…、６Ｎ）がある。利得制御部１１ｃは利得制御ブロック１１Ａに含まれる。
【００３８】
増幅器５ａ、５ｂ、…、５Ｎは、ミキサ４ａ、４ｂ、…、４Ｎにより得られた低周波信号を増幅するものである。ここで増幅器５ａ（５ｂ、…、５Ｎ）は、利得制御部１１ｃにより制御されることにより高利得（Ｈ）の状態のときと低利得（Ｌ）の状態のときとがある得る。ＩＦ段またはＢＢ段６ａ（６ｂ、…、６Ｎ）は、増幅器５ａ（５ｂ、…、５Ｎ）の出力信号（中間周波数またはベースバンドの信号）を所定に処理するものである。
【００３９】
図６に示す構成において、今、図５右側に示すように状態になって低雑音増幅器３ａ、３ｂ、…、３Ｎがすべて高利得に移行したとする。ここで図５右側に示すＰ３に対応する低雑音増幅器が増幅器３ｂだとすると、受信処理部１０Ａｂにおける低雑音増幅器３ｂ以降の各構成では、Ｐ３のレベルが他の受信処理部での信号より大きいので信号の飽和が起こりやすい。そこで、利得制御部１１ｃによって増幅器５ｂを低利得（Ｌ）に制御し、他の受信処理部１０Ａａ、１０ＡＮなどにおける増幅器５ａ、５Ｎに対する利得制御と異ならせる。利得制御部１１ｃによるこのような制御も、評価部１１ｂによる各Ｐ１、Ｐ２、…、ＰＮの集約結果の評価に基づいてなすことができる。図６に示すような構成では、ＩＦ段またはＢＢ段６ｂ以降では回路の飽和を防止でき、より向上した受信動作が得られる。
【００４０】
なお、図６に示す構成では、ミキサ４ａ（４ｂ、…４Ｎ）の後段に利得の制御できる増幅器５ａ（５ｂ、…５Ｎ）を設けているが、ミキサ４ａ（４ｂ、…４Ｎ）自体を利得制御可能なものにして、利得制御部１１ｃからの制御信号をミキサ４ａ（４ｂ、…４Ｎ）に導くような構成にすることも可能である。
【００４１】
図７は、図１に示した実施形態における増幅器協調制御のさらに別の例を示す説明図である。簡単のため、低雑音増幅器３ａ、３ｂ、…、３Ｎすべてが高利得にある状態から、低利得状態に協調的に切り替えられる場合を説明する。本具体例では、図７左側に示すように各Ｐ１、Ｐ２、…、ＰＮが集約されたとき、所定の範囲（ドットパターンで示した範囲）内にあるもの（＝Ｐ１、Ｐ２、ＰＮ、…）のうちで最大のもの（＝Ｐ２）を基準レベルＰｔｈとの比較の対象とする。そして図７右側に示すようにその最大のもの（＝Ｐ２）がＰｔｈを超えた（＊）と判断された場合に（以上は評価部１１ｂによる）、比較の対象とはなり得ないＰ３に相当する低雑音増幅器を除くすべての低雑音増幅器３ａ、３ｂ、…、３Ｎを低利得に切り替える（これは利得制御部１１ａによる）。
【００４２】
すなわち、これも、ｎ個の受信信号における、極端に大きい電力の信号および極端に小さい電力の信号を除外した、ある一定の範囲内にある入力信号に着目した切り替え制御である。ただし、低利得への切り替えは、比較の対象とはなり得ないＰ３に対応する低雑音増幅器が除かれる。このような制御を行うことにより、図４の具体例と比較して、基準レベルＰｔｈとの比較の対象とはなり得ないＰ３に対応する受信処理部でも、より正常な受信処理が可能になるため、さらに受信装置全体として受信特性が向上する。
【００４３】
図８は、図１に示した実施形態における増幅器協調制御のさらに別の例を示す説明図である。簡単のため、低雑音増幅器３ａ、３ｂ、…、３Ｎすべてが高利得にある状態から、低利得状態に協調的に切り替えられる場合を説明する。本具体例では、図８左側に示すように各Ｐ１、Ｐ２、…、ＰＮが集約されたとき、その最小のもの（＝Ｐ１）を基準レベルＰｔｈとの比較の対象とする。そして図８右側に示すようにその最小のもの（＝Ｐ１）がＰｔｈを超えた（＊）と判断された場合に（以上は評価部１１ｂによる）、すべての低雑音増幅器３ａ、３ｂ、…、３Ｎを低利得に切り替える（これは利得制御部１１ａによる）。
【００４４】
図９は、図１に示した実施形態における増幅器協調制御のさらに別の例を示す説明図である。簡単のため、低雑音増幅器３ａ、３ｂ、…、３Ｎすべてが高利得にある状態から、低利得状態に協調的に切り替えられる場合を説明する。本具体例では、図９左側に示すように各Ｐ１、Ｐ２、…、ＰＮが集約されたとき、その平均値（＝Ｐａｖ）を求めこれを基準レベルＰｔｈとの比較の対象とする。そして図９右側に示すようにその平均値（＝Ｐａｖ）がＰｔｈを超えた（＊）と判断された場合に（以上は評価部１１ｂによる）、すべての低雑音増幅器３ａ、３ｂ、…、３Ｎを低利得に切り替える（これは利得制御部１１ａによる）。
【００４５】
図１０は、図１に示した実施形態における増幅器協調制御のさらに別の例を示す説明図である。簡単のため、低雑音増幅器３ａ、３ｂ、…、３Ｎすべてが高利得にある状態から、低利得状態に協調的に切り替えられる場合を説明する。本具体例では、図１０左側に示すように各Ｐ１、Ｐ２、…、ＰＮが集約されたとき、その最大のもの（＝Ｐ３）と最小のもの（＝Ｐ１）との平均値（＝Ｐａｖ）を求めこれを基準レベルＰｔｈとの比較の対象とする。そして図１０右側に示すようにその平均値（＝Ｐａｖ）がＰｔｈを超えた（＊）と判断された場合に（以上は評価部１１ｂによる）、すべての低雑音増幅器３ａ、３ｂ、…、３Ｎを低利得に切り替える（これは利得制御部１１ａによる）。
【００４６】
以上の図３ないし図１０を参照する説明（ただし図５、図６を除く）は、簡単のため、低雑音増幅器３ａ、３ｂ、…、３Ｎすべてが高利得にある状態から低利得状態に協調的に切り替えられる場合のみの説明であるが、低雑音増幅器３ａ、３ｂ、…、３Ｎすべてが低利得にある状態から、高利得状態に協調的に切り替えられる場合も同様に説明することができる。
【００４７】
例えば、図１１は、図３に示した切り替え制御の説明とは逆の切り替えを説明するものである。すなわち、この場合、図１１左側に示すように各Ｐ１、Ｐ２、…、ＰＮが集約されたとき、その最小のもの（＝Ｐ３）を基準レベルＰｔｈＬとの比較の対象とし、そして図１１右側に示すように最小のもの（＝Ｐ２。ここでは、最小のものがＰ３からＰ２に変化したものとしている）がＰｔｈＬを割り込んだ（＊）と判断された場合に（以上は評価部１１ｂによる）、すべての低雑音増幅器３ａ、３ｂ、…、３Ｎを高利得に切り替える（これは利得制御部１１ａによる）。このような説明は、図３ないし図１０（ただし図５、図６を除く）についても同様になすことができる。
【００４８】
ここで、基準レベルＰｔｈとＰｔｈＬとは、一般にＰｔｈ＞ＰｔｈＬの関係で別の値として設定することができる。このような設定を行うと、評価部１１ｂが集約するレベルＰと各低雑音増幅器３ａ、３ｂ、…、３Ｎの出力レベルとの関係は図１２に示すようなヒステリシス特性を呈する。このようにすることで、各低雑音増幅器３ａ、３ｂ、…、３Ｎの利得切り替えが頻繁に生じることを防止することができ、動作を安定化できる。
【００４９】
なお、以上では、切り替え前の状態として、低雑音増幅器３ａ、３ｂ、…、３Ｎすべてが高利得（または低利得）にあるとして説明したが、図７に示したような例においてさらに切り替えられる場合は、当然ながら、対象からはずされたものを除外した低雑音増幅器３ａ、３ｂ、…、３Ｎのすべてが高利得（または低利得）にある場合が切り替え前の状態である。
【００５０】
図１３は、図８に示した高利得から低利得の切り替えと、これに相当する低利得から高利得への切り替えとを組にして示したものである。すなわち、上側では、その左側に示すように各Ｐ１、Ｐ２、…、ＰＮが集約されたとき、その最小のもの（＝Ｐ２）を基準レベルＰｔｈＨとの比較の対象とする。そしてその右側に示すようにその最小のもの（＝Ｐ２）がＰｔｈＨを超えた（＊）と判断された場合に（以上は評価部１１ｂによる）、すべての低雑音増幅器３ａ、３ｂ、…、３Ｎを低利得に切り替える（これは利得制御部１１ａによる）。
【００５１】
また、下側では、その右側に示すように各Ｐ１、Ｐ２、…、ＰＮが集約されたとき、その最大のもの（＝Ｐ３）を基準レベルＰｔｈＬとの比較の対象とする。そしてその左側に示すようにその最大のもの（＝Ｐ３）がＰｔｈＬを割り込んだ（＊）と判断された場合に（以上は評価部１１ｂによる）、すべての低雑音増幅器３ａ、３ｂ、…、３Ｎを高利得に切り替える（これは利得制御部１１ａによる）。
【００５２】
このようなヒステリシス特性を含んでの両方向切り替えの説明は、上記各図（図３ないし図１０（図６を除く））について可能である。
【００５３】
図１４は、図１に示した実施形態の構成で適用可能な多段階の増幅器制御（ヒステリシス特性つき）を示す説明図である。図１１ないし図１３の説明では、上側の基準レベルＰｔｈＨと下側の基準レベルＰｔｈＬとが１組である場合を説明したが、同様な考えで複数の組を評価部１１ｂに持たせることも考えられる。それら複数組の各値の関係は、例えば図１４（ａ）における縦軸に示すごとくである。各組それぞれの値を上記で説明した基準レベルの組とし、かつ各低雑音増幅器３ａ、３ｂ、…３Ｎの利得制御を多段階にすれば、その出力レベルは、図１４（ｂ）に示すような多段階変化の特性を呈する。多段階の中でも３段階のものは実用的である。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【図面の簡単な説明】
【００５５】
【図１】本発明の一実施形態に係る受信装置の概略構成を示すブロック図。
【図２】図１に示す受信装置における増幅器協調制御の効果を説明するための図。
【図３】図１に示した実施形態における増幅器協調制御の一例を示す説明図。
【図４】図１に示した実施形態における増幅器協調制御の別の例を示す説明図。
【図５】図１に示した実施形態における増幅器協調制御のさらに別の例を示す説明図。
【図６】本発明の別の実施形態に係る受信装置の概略構成を示すブロック図。
【図７】図１に示した実施形態における増幅器協調制御のさらに別の例を示す説明図。
【図８】図１に示した実施形態における増幅器協調制御のさらに別の例を示す説明図。
【図９】図１に示した実施形態における増幅器協調制御のさらに別の例を示す説明図。
【図１０】図１に示した実施形態における増幅器協調制御のさらに別の例を示す説明図。
【図１１】図１に示した実施形態における増幅器協調制御のさらに別の例を示す説明図。
【図１２】図１に示した実施形態における増幅器制御のヒステリシス特性を示す説明図。
【図１３】図１に示した実施形態における増幅器協調制御のさらに別の例を示す説明図。
【図１４】図１に示した実施形態の構成で適用可能な多段階の増幅器制御（ヒステリシス特性つき）を示す説明図。
【符号の説明】
【００５６】
１ａ，１ｂ，１Ｎ…アンテナ、２ａ，２ｂ，２Ｎ…バンドバスフィルタ、３ａ，３ｂ，３Ｎ…低雑音増幅器、４ａ，４ｂ，４Ｎ…ミキサ、５ａ，５ｂ，５Ｎ…増幅器、６ａ，６ｂ，６Ｎ…ＩＦ段またはＢＢ段、１０ａ，１０ｂ，１０Ｎ，１０Ａａ，１０Ａｂ，１０ＡＮ…受信処理部、１１，１１Ａ…利得制御ブロック、１１ａ…利得制御部、１１ｂ…評価部、１１ｃ…利得制御部、２１…信号リークパス。
【図１】
2006222601.tif 000003
【図２】
2006222601.tif 000004
【図３】
2006222601.tif 000005
【図４】
2006222601.tif 000006
【図５】
2006222601.tif 000007
【図６】
2006222601.tif 000008
【図７】
2006222601.tif 000009
【図８】
2006222601.tif 000010
【図９】
2006222601.tif 000011
【図１０】
2006222601.tif 000012
【図１１】
2006222601.tif 000013
【図１２】
2006222601.tif 000014
【図１３】
2006222601.tif 000015
【図１４】
2006222601.tif 000016